(57)【要約】 【課題】  弾球時の球の位置を、球発射方向に対して直交する水平方向の調整と垂直方向の調整とに分割して行うことができる遊技機の弾球発射装置を提供する。【解決手段】  発射レール４を、凹溝部４１と、後側の水平板面４２と、前側の垂直側面４３とを有するものとする。レール支持部材３を、レール保持部３３と、筒状部３６と、嵌合板部３４とを有するものとし、ベース板１には取付窓１４を設ける。レール保持部３３に板バネ８を装着したうえに、水平板面４２を筒状部３６に差し込んで、発射レール４を球発射方向に対して直交する水平方向に摺動可能にレール支持部材３に螺着する。嵌合板部３４を隙間を残して取付窓１４に嵌め込んで、レール支持部材３を球発射方向に対して直交する垂直方向に摺動可能にベース板１に螺着する。【選択図】    図４
2006296563.tif 000002
【特許請求の範囲】
【請求項１】
ベース板と、ベース板に軸着された弾球槌と、弾球槌によって発射された球をガイドする発射レールと、発射レールをベース板に取付けるためのレール支持部材とを有する遊技機の弾球発射装置であって、
発射レールを、球発射方向に対して直交する水平方向に摺動可能としてレール支持部材に螺着したうえに、
このレール支持部材を、球発射方向に対して直交する垂直方向に摺動可能としてベース板に螺着したことを特徴とする遊技機の弾球発射装置。
【請求項２】
発射レールは、球がガイドされる凹溝部と、凹溝部の後側に延出された水平板面と、凹溝部の前側に垂設された垂直側面とからなり、垂直側面の裏側には発射レールを前側に付勢する弾性部材を配設するとともに、垂直側面には発射レールを水平方向に摺動させるためのねじを螺入した請求項１に記載の遊技機の弾球発射装置。
【請求項３】
水平板面の端部に、発射レールをレール支持部材の一側面に押圧するための、可撓性を有する突部を設けた請求項２に記載の遊技機の弾球発射装置。
【請求項４】
レール支持部材に、水平板面が差し込まれる筒状部を形成するとともに、弾性部材と発射レールとが装着されるレール保持部を形成した請求項２に記載の遊技機の弾球発射装置。
【請求項５】
ベース板にレール支持部材の取付窓を設け、レール支持部材には、ベース板に当設される取付板部と、この取付板部につなげて前記取付窓に摺動可能に嵌め込まれる嵌合板部とを設けたうえに、この嵌合板部にレール支持部材を取付窓の一側面に押圧するための可撓性を有する突起を設けた請求項１に記載の遊技機の弾球発射装置。
【請求項６】
垂直側面の長手方向の中央にねじを螺入して、弾性部材により前側に押圧されている発射レールを、ねじの締付け・弛緩により球発射方向に対して直交する水平方向に摺動させるようにした請求項２に記載の遊技機の弾球発射装置。
【請求項７】
垂直側面の長手方向の両端にねじを螺入して、弾性部材により前側に押圧されている発射レールを、球発射方向側のねじを締付け・弛緩することにより球発射方向に対して角度を付けて水平方向に移動させるようにした請求項２に記載の遊技機の弾球発射装置。
【請求項８】
弾球槌の回動を規制するストッパーを、弾球槌の衝突方向と斜めに交叉する方向に伸びる長孔に螺着した請求項１に記載の遊技機の弾球発射装置。
【発明の詳細な説明】
【技術分野】
【０００１】
本発明は、球をパチンコ機の遊技盤内に発射するために遊技機の弾球発射装置に関するものである。
【背景技術】
【０００２】
パチンコ機においては、遊技盤の下方に設けられた弾球発射装置から球が発射されて遊技が行われる。弾球発射装置には発射レールが配設され、この発射レール上に静止された球が弾球槌によって打ち出されて上方に案内される。ここで、発射前の球の静止位置が遊技機の前後方向にずれていたり、あるいは上下方向にずれていたりしたような場合には、弾球槌の槌先部が球の中心に正確に衝突せずに球飛び方向や飛距離にばらつきが生じ、遊技者の遊技意欲が削がれてしまうという問題がある。
【０００３】
特許文献１には、球と弾球槌との衝突位置を調節可能な発射レール(発射バンド)を備えた球発射装置が開示されている。この発射レールは発射方向後端の止めビスを緩めた状態で上下方向に摺動させることができる。また、止めビスを緩めた状態で楔状の調節部材を差し込むことによって発射レールを遊技機の前後方向に摺動させることができる。しかしながら、このものは止めビスを緩めると発射レールが上下方向のみならず前後方向にも移動してしまうので、正しい位置にあった方向の位置調整も再度行わねばならない。また、位置調整に当っては上下方向と前後方向の位置とを同時に位置決めしなければならず、正確な位置調整がたいへん困難である。さらに、調整部材を移動させて前後方向の位置を決めるので、位置決め作業がしづらい、調整部材を別途準備せねばならないという問題がある。
【特許文献１】特開平８−２３８３５４号公報  (図２２)
【発明の開示】
【発明が解決しようとする課題】
【０００４】
上記したような従来の問題に鑑み本発明は、弾球時の球の位置を、球発射方向に対して直交する水平方向の調整と垂直方向の調整とに分割して行うことができる遊技機の弾球発射装置を提供することを課題とする。
【課題を解決するための手段】
【０００５】
上記した課題を解決するためになされた本発明は、ベース板と、ベース板に軸着された弾球槌と、弾球槌によって発射された球をガイドする発射レールと、発射レールをベース板に取付けるためのレール支持部材とを有する遊技機の弾球発射装置であって、
発射レールを、球発射方向に対して直交する水平方向に摺動可能としてレール支持部材に螺着したうえに、
このレール支持部材を、球発射方向に対して直交する垂直方向に摺動可能としてベース板に螺着したことを特徴とする遊技機の弾球発射装置を、請求項１に係る発明とする。
【０００６】
上記した弾球発射装置において、発射レールは、球がガイドされる凹溝部と、凹溝部の後側に延出された水平板面と、凹溝部の前側に垂設された垂直側面とからなり、垂直側面の裏側には発射レールを前側に付勢する弾性部材を配設するとともに、垂直側面には発射レールを水平方向に摺動させるためのねじを螺入した遊技機の弾球発射装置を、請求項２に係る発明とし、
水平板面の端部に、発射レールをレール支持部材の一側面に押圧するための、可撓性を有する突部を設けた遊技機の弾球発射装置を請求項３に係る発明とする。
【０００７】
また、レール支持部材に、水平板面が差し込まれる筒状部を形成するとともに、弾性部材と発射レールとが装着されるレール保持部を形成した遊技機の弾球発射装置を、請求項４に係る発明とし、
ベース板にレール支持部材の取付窓を設け、レール支持部材には、ベース板に当設される取付板部と、この取付板部につなげて前記取付窓に摺動可能に嵌め込まれる嵌合板部とを設けたうえに、この嵌合板部にレール支持部材を取付窓の一側面に押圧するための可撓性を有する突起を設けた遊技機の弾球発射装置を請求項５に係る発明とする。
【０００８】
また、垂直側面の長手方向の中央にねじを螺入して、弾性部材により前側に押圧されている発射レールを、ねじの締付け・弛緩により球発射方向に対して直交する水平方向に移動させるようにした遊技機の弾球発射装置を、請求項６に係る発明とし、
垂直側面の長手方向の両端にねじを螺入して、弾性部材により前側に押圧されている発射レールを、球発射方向側のねじを締付け・弛緩することにより球発射方向に対して角度を付けて水平方向に摺動させるようにした遊技機の弾球発射装置を、請求項７に係る発明とする。
【０００９】
さらに、弾球槌の回動を規制するストッパーを、弾球槌の衝突方向と斜めに交叉する方向に伸びる長孔に螺着した遊技機の弾球発射装置を、請求項８に係る発明とする。
【発明の効果】
【００１０】
請求項１に係る発明は、発射レールの位置調整を、球発射方向に対して直交する垂直方向の調整と、水平方向の調整とに分割して行うことができるので、調整の必要がある方向の位置調整のみを行うことができるので、位置微調整を容易に正確に行うことができる。よって、球を正確に弾球槌の槌先部に衝突させることができるので、弾球軌道がばらつくことがない。
【００１１】
請求項２に係る発明は、発射レールを、凹溝部の後側の水平板面と、凹溝部の前側の垂直側面とを有するものとして、垂直側面の裏側に垂直側面を前側に付勢する弾性部材を配設するとともに、垂直側面にはねじを螺入したので、ねじの締め付け・弛緩により発射レールを水平方向に摺動させることができる。よって、位置微調整のためのスペーサを必要としない。
請求項３に係る発明は、水平板面の端部に可撓性を有する突部を設けたので、この突部をレール支持部材の一側に押圧することにより、位置調整が一側基準となり精度を向上させることができる。
【００１２】
請求項４に係る発明は、レール支持部材に筒状部とレール保持部とを形成したので、発射レールをレール支持部材に水平方向の摺動を可能にして保持することができる。
請求項５に係る発明は、ベース板に設けた取付窓に、レール支持部材に設けた嵌合板部を嵌め込むようにしたので、嵌合板部に設けた突起を取付窓の一側に押圧してレール支持部材をベース板に摺動可能に取り付けることができる。
【００１３】
請求項６にかかる発明は、ねじの締付け・弛緩により発射レールを球発射方向に対して直交する水平方向に移動させることができる。
請求項７に係る発明は、球発射方向側のねじを締付け・弛緩することにより、発射レールを球発射方向に対して角度を付けて水平方向に移動させることができる。
【００１４】
また、請求項８の発明は、弾球槌の衝突によって生ずるストッパーの位置ずれが生じにくく、調整が精密に行われるという利点がある。
【発明を実施するための最良の形態】
【００１５】
以下に図面を参照しつつ本発明の最良の実施形態について説明する。
図１は本発明の弾球発射装置を示す図、図４はその要部構成を示す図である。図１において、金属製のベース板１にはロータリーソレノイドによって回動される弾球槌２が軸着されている。弾球槌２の槌先部前方には、レール支持部材３が螺着されており、このレール支持部材３には、発射レール４が螺着されているうえに、発射レール４上に発射前の球を一時静止させるための球静止部材５が一体に形成されている。当該弾球発射装置は、発射レール４上に静止された球を弾球槌２が弾くことによって球を上方の遊技盤内に打ち込んで遊技を行うことができる。なお、６、７は弾球槌１の回動を静止する発射側ストッパーと戻り側ストッパーである。また、ベース板１として遊技機本体の基板を用いてもよい。
【００１６】
上記弾球発射装置において、発射レール４は、上方に湾曲しない直線状であって、球２、３個分の短いものとしたうえに、遊技盤の方向に近づけてベース板１に軸着してあるので、弾球が発射レール４と接触する部分が短く弾球力のロスが小さい。なお、発射レール４の長さは球１個〜５個分の間とするのが望ましい。１個未満では球を安定して静止させることができず、５個を超えると発射レール４の方向調整がしづらくなるからである。
【００１７】
当該発射レール４は、図４に示すようにＶ字形に形成されて弾球をガイドする凹溝部４１と、凹溝部４１の後側（遊技機側）に延出して形成された水平板面４２と、凹溝部４２の前側（遊技者側）に垂設された垂直側面４３とを有する。水平板面４２には、その一側に突部４４が設けられ、その近傍には長孔４５が形成されているので、突部４４は可撓性を有する。垂直側面４３には、中央部にねじ孔４６と、両端に位置決め用の切欠き部４７とが設けられている。
【００１８】
レール支持部材３は、垂直状で上下二つの取付板部３１、３２を有し、それらの間には後方に段状に突出する嵌合板部３４が連設されている。取付板部３１、３２はそれぞれねじ孔３０を有する。上側の取付板部３１の前側には球静止部材５が、下側の取付板部３２にはレール保持部３３が設けられている。レール保持部３３には前記ねじ孔４６に対応するねじ孔３７と、前記切欠き部４７に対応する突起３８とが形成されている。嵌合板部３４の一側には突部３４ａと長孔３４ｂとが形成されていて、突部３４ａは可撓性を有する。そして、嵌合板部３４には、横長の開口部３５が形成され、この開口部３５の後方に突出して筒状部３６が延設されている。なお、二つの取付板部３１、３２を上下で分割されたものとすることができる。
【００１９】
図４において、８は発射レール４の位置調整を容易にするための板バネであって、この板バネ８は、緩く湾曲しているうえに、前記ねじ孔３７に対応する中央のねじ孔８１と、前記突起３８に対応する両端の切り込み８２とを有し、レール保持部３３と発射レール４との間に介装される。なお、板バネ８１に代えてコイルバネを用いることもできる。
【００２０】
ベース板１には、前記嵌合板部３４が上下方向に摺動可能に嵌め込まれる取付窓１４と、弾球槌２の装着窓１２と、発射側ストッパー６及び戻り側ストッパー７の取り付け基部１６、１７とが形成されている。
【００２１】
以上のように構成されたものを組み立てるに当っては、先ずレール支持部材３の突起３８に板バネ８をその切り込み８２を差し込んでレール保持部３３に装着する。そして、開口部３５に発射レール４の水平板面４２を挿入し、突起３８に切欠き部４７を差し込み、ねじ孔４６、８１、３７にねじを螺入して、レール支持部材３に板バネ８と発射レール４とを一体に組み付ける。これによって、水平板面４２は図１０に示すように筒状部３６に摺動可能に嵌め込まれる。なお、筒状部３６の天井には図７に示すように水平板面４２押さえ用の突条部３９が垂設してあるので、挿着された水平板面４２ががたつくことはない。発射レール３は、突部４４が筒状部３６の側壁に押圧されるので、位置調整を確実に行うことができる。
【００２２】
次いで、レール支持部材３の嵌合板部３４をベース板１の取付窓１４に嵌め込む。これによって、嵌合板部３４は図１１に示すように取付窓１４に隙間Ｓを残して摺動可能に嵌め込まれる。レール支持部材３は、取付基部３１、３２がベース板１の表面に当接され、突部３４ａが取付窓１４の内壁に押圧されているので、位置調整を正確に行うことができる。
【００２３】
以上のようにして装着された発射レール３の位置を微調整するに際しては、図１０に示すねじＮを締付ければ板バネ８の付勢に抗して水平板面４２を後方(遊技機側)にスライドさせることができる。また、ねじＮを緩めれば板バネ８の付勢により水平板面４２を前方(遊技者側)にスライドさせることができる。よって、球発射レール３の水平方向の位置のみを、楔状のスペーサを用いることなく容易に微調整することができる。
【００２４】
また、図１１に示すようにねじＮを緩めた状態で嵌合板部３４を上方又は下方にスライドさせれば、発射レール３の垂直方向の位置のみを、レール支持部材３とともに微調整することができる。なお、ベース板１には一対の係合突起５１を設け、レール支持部材３には係合凹部５２を設けたので、ツールＴの先端を係合凹部５２に差し込むことにより容易に位置を調整することができる。
【００２５】
なお、図１２に示すように板バネ８を端部が前方に折り曲げられたものとし、発射レール３の垂直側面４３の長手方向の両端にねじを差し込むことによっても、発射レール３をレール支持部材３に螺着することができる。この場合には、図１３に示すように筒状部３６側面と水平板面４２端部との間に隙間を設けてあるので、図１４、１５のように球発射方向にあるねじＮを締め付け又は弛緩することによってベース板１の板面と発射レール４の凹溝部４１のなす角度を微調整できるという利点がある。なお、他方のねじＮ’をも回すことによって、発射レール３を球発射方向に対して直交する水平方向に平行にずらすこともできる。
【００２６】
なお、図１において発射側ストッパー６の取付孔６１は、弾球槌２が当該ストッパー６に衝突する方向と斜めに交叉する方向に長く形成してあって、衝突による当該ストッパー６の位置ずれが生じにくく、調整が精密に行われるようにしてある。
【図面の簡単な説明】
【００２７】
【図１】本発明に係る弾球発射装置の正面図である。
【図２】図１のＡ−Ａ線断面図である。
【図３】図１のＢ−Ｂ線断面図である。
【図４】弾球発射装置の要部の分解斜視図である。
【図５】発射レールの正面図（ａ）、側面図（ｂ）、平面図（ｃ）である。
【図６】板バネの正面図（ａ）、側面図（ｂ）である。
【図７】レール支持部材の正面図（ａ）、平面図（ｂ）である。
【図８】図７のＣ−Ｃ線断面図である。
【図９】図７のＤ−Ｄ線断面図である。
【図１０】筒状部に水平板面が嵌め込まれた状態を示す平面図である。
【図１１】取付窓に嵌合板部が嵌め込まれた状態を示す正面図である。
【図１２】別の形態の板バネの正面図（ａ）、側面図（ｂ）である。
【図１３】二つのねじにより発射レールを保持する状態を示す平面図である。
【図１４】ねじＮを締付けて球の発射方向を調整する状態を示す平面図である。
【図１５】ねじＮを緩めて球の発射方向を調整する状態を示す平面図である。
【図１６】各方向の説明図である。
【符号の説明】
【００２８】
１  ベース板、２  弾球槌、３  レール支持部材、４  発射レール、５  球静止部材、６  発射側ストッパー、７  戻り側ストッパー、８  板バネ、１４  取付窓、３１  上側取付板部、３２  下側取付板部、３３  レール保持部、３４  嵌合板部、３４ａ  突起、３４ｂ  長孔、３５  開口部、３６  筒状部、３７  ねじ孔、３８  突起、４１  凹溝部、４２  水平板面、４３  垂直側面、４４  突部、４５  長孔、４６  ねじ孔、４７  切欠き部、８１  ねじ孔、８２  切り込み
【図１】
2006296563.tif 000003
【図２】
2006296563.tif 000004
【図３】
2006296563.tif 000005
【図４】
2006296563.tif 000006
【図５】
2006296563.tif 000007
【図６】
2006296563.tif 000008
【図７】
2006296563.tif 000009
【図８】
2006296563.tif 000010
【図９】
2006296563.tif 000011
【図１０】
2006296563.tif 000012
【図１１】
2006296563.tif 000013
【図１２】
2006296563.tif 000014
【図１３】
2006296563.tif 000015
【図１４】
2006296563.tif 000016
【図１５】
2006296563.tif 000017
【図１６】
2006296563.tif 000018